(57)【特許請求の範囲】
【請求項１】
物理的な手動操作が可能であり、異なる複数の制御信号を生成する複数の制御器と、
上記複数の制御器に関する情報をそれぞれ有する複数の表示信号から選択される１つの表示信号が供給され、該供給された表示信号に基づいて画像を表示するタッチセンサ式の表示器を備え、
上記複数の制御器は、上記表示器の表面であって、上記制御器に関する情報を表示するための上記表示器の表示領域の近傍に取り付けられており、
上記制御器が生成する制御信号は、上記複数の表示信号からいずれの表示信号が選択され上記表示器に表示されるかに応じて決まることを特徴とする表示及び制御盤。
【請求項２】
上記表示器は、上記制御器に関する情報を、グラフィック書式及び／又は英数字書式で表示することを特徴とする請求項１記載の表示及び制御盤。
【請求項３】
上記表示器の表面に、上記制御器に接続された透明な導体を備える請求項１又は２記載の表示及び制御盤。
【請求項４】
上記透明な導体は、インジウムティンオキサイドで形成されていることを特徴とする請求項３記載の表示及び制御盤。
【請求項５】
上記制御器は、回転操作型の制御器であることを特徴とする請求項１乃至４のいずれか１項記載の表示及び制御盤。
【請求項６】
上記制御器は、直線操作型の制御器であることを特徴とする請求項１乃至４のいずれか１項記載の表示及び制御盤。
【請求項７】
上記表示器は、液晶表示器であることを特徴とする請求項１乃至６のいずれか１項記載の表示及び制御盤。
【請求項８】
上記表示器は、陰極線管であることを特徴とする請求項１乃至６のいずれか１項記載の表示及び制御盤。
【請求項９】
上記制御信号に応じて、上記制御器に関する情報の表示信号を生成する表示コントローラを備える請求項１乃至８のいずれか１項記載の表示及び制御盤。
【請求項１０】
上記制御器は、接着剤によって上記表示器の表面に固定されていることを特徴とする請求項１乃至４のいずれか１項記載の表示及び制御盤。
【請求項１１】
物理的な手動操作が可能であり、異なる複数の制御信号をそれぞれ生成する複数の制御器と、
上記複数の制御器から制御信号が供給され、当該複数の制御信号に応じて複数の表示信号を生成する表示コントローラと、
上記表示コントローラから、上記複数の表示信号から選択される１つの表示信号が供給され、複数の表示領域を生成するタッチセンサ式の表示器を備え、
上記複数の制御器のそれぞれは、上記表示器の表面であって、上記複数の表示領域のそれぞれの近傍に取り付けられており、
上記制御器が生成する制御信号は、上記複数の表示信号からいずれの表示信号が選択され上記表示器に表示されるかに応じて決まることを特徴とする信号プロセッサ。
【請求項１２】
上記複数の制御信号が供給され、それぞれの状態信号を生成する機器を備え、
上記表示コントローラは、上記複数の状態信号が供給され、該複数の状態信号に応じて、新たな表示信号を生成し、
上記表示器は、上記新たな表示信号が供給され、新たな表示領域を生成することを特徴とする請求項１１記載の信号プロセッサ。
【請求項１３】
上記表示器は、共通情報表示領域を生成することを特徴とする請求項１１又は１２記載の信号プロセッサ。
【請求項１４】
オーディオミキシングデスクの一部であることを特徴とする請求項１１乃至１３のいずれか１項記載の信号プロセッサ。
【請求項１５】
上記複数の制御器のそれぞれは、接着剤によって上記表示器の表面に固定されていることを特徴とする請求項１１乃至１４のいずれか１項記載の信号プロセッサ。
【発明の詳細な説明】
【０００１】
【発明の属する技術分野】
本発明は、表示及び制御盤（display and control panel）に関し、特に、オーディオミキシングデスク（audio mixing desk）で用いられる表示及び制御盤に関する。このような表示及び制御盤は、音声信号の特性を調整したり、オーディオミキシングデスクの動作を制御するために用いられる。なお、本発明は、オーディオミキシングデスクに限定されるものではない。
【０００２】
【従来の技術】
図６及び図７は、従来の表示及び制御盤を示す概略図である。図６に示すように、オーディオミキシングデスクにおいて用いられる従来の表示及び制御盤（display and control panel）５０は、制御器（control device）５２と、それに関連した表示器（display）５３を有する。図６において、制御器５２は、回転操作型のポテンショメータ（rotary potentiometer）からなる。なお、制御器５２は、よく知られているように、押ボタンスイッチ、ロッカ（rocker）すなわちトグルスイッチ（toggle switch）であってもよい。制御器５２の設定に関する情報は、制御器５２に関連した表示器５３に表示され、ユーザがオーディオミキシングデスクを操作するのに役立つ。関連した表示器５３は、例えば図６に示すように、２つの文字及び英数字を表示する表示器からなる。なお、表示器５３は、制御器５２の設定に関する情報を表示するのに適したバーグラフ表示器（bar graph display）や、他の固定の構造を有する表示器であってもよい。固定の構造を有する表示器としては、例えばよく知られているように、発光ダイオード表示器や、エッチングされたパターン（etched patern）を有する液晶表示器等がある。殆どのオーディオミキシングデスクは、１つ以上の表示及び制御盤を有し、各表示及び制御盤には、複数の制御器と、それらにそれぞれ対応した表示器が互いに隣接して配設されている。
【０００３】
制御盤に表示器を設けると、制御器のみから得られる情報よりも正確な情報が得られるという利点があるが、表示される情報の種類、又はユーザに対して情報を表示する書式（format）をあまり自由に変えられない。ユーザが、異なる仕事を行うときに、制御の設定に関する情報が異なる書式で表示され、アクセスできると便利である。
【０００４】
図７は、従来のオーディオミキシングデスクの要部を示す図である。図７に示すように、オーディオミキシングデスク６０には、複数の制御盤６１が設けられており、各制御盤６１には、複数の制御器６２がそれぞれ配設されている。各制御器６２の設定に関する情報は、中央表示器６３に送られる。中央表示器６３は、複数の制御器６２の設定に関する情報を一カ所で表示する。しかし、ユーザが、制御器６２の設定範囲を調整しようとするとき、あるいはどの制御器６２の情報が中央表示器６３のどの位置に表示されているかを確認するとき、各制御器６２と中央表示器６３の距離が離れていると、非常に不便である。
【０００５】
【発明が解決しようとする課題】
本発明は、上述した実情に鑑みてなされたものであり、本発明の目的は、例えば制御器を、制御器のすぐ近くに表示された設定値を見ながら操作することができる利便性が高い表示及び制御盤を提供することである。
【０００６】
【課題を解決するための手段】
本発明に係る表示及び制御盤は、制御信号を生成する、例えば手動操作の制御器と、制御器に関する情報の表示信号が供給され、表示信号に基づいた画像を表示する表示器を備える。制御器は、表示器の表面であって、制御器に関する情報を表示するための表示領域の近傍に取り付けられている。
【０００７】
表示器は、制御器に関する情報を、グラフィック書式及び／又は英数字書式で表示する。
【０００８】
制御器の出力線の表示器の表面にある部分は、透明な導体でできている。
【０００９】
透明な導体は、例えばインジウムティンオキサイドからなる。なお、透明な導体は、電気的な導電性を有するどのような種類の透明な材料であってもよい。また、実質的に表示器を見えにくくすることのない不透明な導体であってもよい。
【００１０】
制御器は、例えば回転操作型の制御器、直線操作型の制御器からなる。なお、制御器としては、例えば押ボタンスイッチ、ロッカすなわちトグルスイッチ等のような既存の多くの機器の何れであってもよい。
【００１１】
表示器は、例えば液晶表示器、陰極線管又は接触型表示器からなる。なお、表示器は、プラズマ表示器、マトリックス状に配置された発光ダイオードからなる表示器、背面投影スクリーン等のどのような表示器でもよい。
【００１２】
表示コントローラは、制御信号に応じて、制御器に関する情報の表示信号を生成する。
【００１３】
本発明に係る信号プロセッサは、制御信号をそれぞれ生成する複数の制御器と、制御信号が供給され、表示信号を生成する表示コントローラと、表示信号が供給され、表示信号に基づいた画像をそれぞれ表示する複数の表示領域を有する表示器を備える。複数の制御器は、表示器の表面であって、各表示領域の近傍に取り付けられている。
【００１４】
信号プロセッサは、複数の制御信号が供給され、それぞれの状態信号を生成する機器を、更に備える。表示コントローラは、複数の状態信号が供給され、複数の状態信号に応じた新たな表示信号を生成する。表示器は、供給される新たな表示信号に基づいた画像を複数の表示領域に表示する。
【００１５】
表示器は、共通情報表示領域を有し、この共通情報表示領域には、例えば複数の制御器に関する情報が共通の書式で表示される。また、共通情報表示領域には、例えば生成された特定の制御信号に基づいた情報が表示される。例えば、ある制御器が、その機能が他の制御器に関係した信号を生成するとき、共通情報表示領域には、それらの他の制御器のグループに関する情報が表示される。
【００１６】
信号プロセッサは、オーディオミキシングデスクの一部である。信号プロセッサを、オーディオミキシングデスクの一部とすることにより、ある特定の制御器に関する情報を、その制御器の近傍に様々な書式で表示することができる。また、ユーザは、ある特定の制御器又は制御器グループの設定に関する正確な情報を得ることができ、操作と表示器に表示された情報の調和を図ることができる。また、柔軟性を増すことができるとともに、表示情報を、特定の制御器の設定に応じて容易に変えることができる。
【００１７】
【発明の実施の形態】
以下、本発明に係る表示及び制御盤（display and control panel）、信号プロセッサ（signal processor）について、図面を参照して説明する。図１は、オーディオミキシングデスク（audio mixing desk）で用いられる本発明を適用した表示及び制御盤の構成を説明するための図である。
【００１８】
図１に示すように、本発明を適用した表示及び制御盤１０は、制御器（control device）１２と、表示器（display）１３と、透明な導体（transparent conductor）１４を備える。表示及び制御盤１０は、導体１５によって表示コントローラ（display controller）１６に接続されている。制御器１２は、表示器１３の表示面に固定されている。制御器１２は、表示器１３の表面に配設された透明な導体１４によって表示コントローラ１６に接続されており、表示コントローラ１６は、オーディオプロセッサ（audio processor）１７に接続されている。また、表示コントローラ１６は、表示器１３にも接続されている。制御器１２は、ユーザが操作するものであり、ユーザの操作に応じた制御信号を生成して、表示コントローラ１６及びそれを介してオーディオプロセッサ１７に供給する。そして、オーディオプロセッサ１７は、制御信号に応じて、入力されるオーディオ信号を調整して、調整されたオーディオ信号を出力する。一方、表示コントローラ１６は、例えばプログラマブルなものであり、そのプログラムを実行することにより、制御信号に応じた表示信号を生成して、表示器１３に供給する。この表示信号は、例えば制御器１２の設定値を表している。表示器１３は、制御器１２に近接した表示領域１８に、表示信号に基づいた画像、すなわち制御器１２の設定値を表す画像を表示する。表示領域１８に表示された情報は、グラフィック書式（graphical format）及び／又は英数字書式（alphanumeric format）で表示される。
【００１９】
図１の制御器１２は、回転操作型の機器であり、例えば回転操作型のポテンショメータ（rotary potentiometer）である。なお、制御器１２としては、例えばスライダ（longitudinal slider）を有する直線操作型のポテンショメータ（linear potentiometer）、押ボタンスイッチ、ロッカ（rocker）すなわちトグルスイッチ（toggle switch）等のような既存の多くのデバイスの何れであってもよい。
【００２０】
図１に示す表示領域１８には、情報が英数字書式とグラフィック書式で表示される。なお、英数字書式とグラフィック書式のどちらか一方だけで表示したり、他の書式も用いて３つ以上の書式で表示したり、又はそれらの書式を様々に組み合わせた書式で表示してもよい。
【００２１】
表示器１３は、例えば液晶表示パネル（liquid crystal display panal：ＬＣＤパネル）、プラズマ表示パネル（plasma display panal）、陰極線管、接触表示器（touch sensitive display）からなる。なお、表示器１２は、マトリックス状に配置された発光ダイオードからなる表示器（light emitting diode display matrix）、背面投影スクリーン（rear projection screen）等、又は他の既存の適切な表示器であってもよい。
【００２２】
したがって、制御器１２に関する正確な情報が、ユーザに対して様々な書式で、制御器１２のすぐ近くに表示される。すなわち、ユーザは、制御器１２に近接して配置された表示器１３の表示内容を確認しながら、制御器１２を操作することができる。また、表示器１３に表示される内容は、表示コントローラ１６において、自由にプログラムする、すなわち設定することができ、ユーザの仕事の内容が変わったときに、その仕事の内容に応じた表示を行うことができる。
【００２３】
図２は、制御器１２を表示器１３の表面に取り付けた状態を示す側面図である。制御器１２は、図２に示すように、接着剤１９によって、表示器１３の表面に貼り付けられている。接着剤１９は、制御器１２を自由に操作できるように、制御器１２の可動しない部分に取り付けられている。通常の操作の際に、制御器１２が表示器１３から外れないように、制御器１２は、接着剤１９によって表示器１３に固着されている。
【００２４】
透明な導体１４は、制御器１２に接続されており、表示器１３の表面に設けられ、すなわち形成されている。表示器１３の表面に設けられている透明な導体１４は、例えば不透明な金属製の導体１５に接続され、金属製の導体１５は、表示コントローラ１６に接続されている。透明な導体１４は、例えばインジウムティンオキサイド（Indium Tin Oxide：以下、ＩＴＯと言う。）や、他のよく知られた透明な電気的導電性を有する金属からなる。なお、導体１４は、表示器１３の表面上では透明であることが望ましいが、実質的に表示器１３を見えにくくしなければ、不透明な導体であってもよい。
【００２５】
図３は、本発明を適用した表示及び制御盤の他の具体例を示す図である。なお、図１に示す表示及び制御盤１０の構成部品と同じ構成部品には、同じ符号を付して、それらの説明は省略する。
【００２６】
図３に示すように、表示及び制御盤２０は、複数の制御器１２と、表示器２３と、複数の透明な導体２４を備える。表示及び制御盤２０は、導体２５によって表示コントローラ２６に接続されている。複数の制御器１２は、図２に示す表示及び制御盤１０と同じ方法で、表示器２３の表面に固定されている。複数の制御器１２は、表示器２３の表面の各透明な導体２４及び導体２５を介して表示コントローラ２６に接続されており、表示コントローラ２６は、オーディオプロセッサ１７に接続されている。また、表示コントローラ２６は、表示器２３にも接続されている。複数の制御器１２は、ユーザが操作するものであり、ユーザの操作に応じた制御信号をそれぞれ生成して、表示コントローラ２６及びそれを介してオーディオプロセッサ１７に供給する。オーディオプロセッサ１７は、複数の制御信号に応じて、オーディオ信号を調整して、調整されたオーディオ信号を出力する。一方、表示コントローラ２６は、複数の制御信号に応じて複数の表示信号を生成して、表示器２３に供給する。表示器２３は、複数の制御器１２にそれぞれ対応した複数の表示領域２８を有し、これらの表示領域２８に各表示信号に基づいた画像を表示する。各表示領域２８は、それぞれの制御器１２の近傍に位置している。各表示領域２８には、各制御器１２に関する情報がグラフィック書式及び／又は英数字書式で表示される。
【００２７】
図３に示す制御器１２の表示器２３への取り付けは、図２を用いて説明したのと同様に行われる。
【００２８】
なお、図３では、複数の制御器１２及び複数の表示領域２８は、それぞれ同一のものとして図示しているが、それぞれの制御器１２は、異なる種類の制御器であってもよい。また、それぞれの表示領域２８に、情報を異なる書式で表示するようにしてもよい。さらに、図３では、複数の制御器１２は、等間隔で規則的に配設され、複数の表示領域２８の大きさ及び形状は、同じものとして表示しているが、各制御器１２の配置はどのような配置でもよく、また、複数の表示領域２８の大きさ及び形状は、それぞれ異なっていてもよい。
【００２９】
図４は、本発明を適用した表示及び制御盤のさらなる別の具体例を示す図である。なお、図１，図３に示す表示及び制御盤１０，２０の構成部品と同じ構成部品には、同じ符号を付して、それらの説明は省略する。
【００３０】
図４に示すように、表示及び制御盤３０は、複数の制御器１２と、表示器３３と、表示コントローラ３６と、表示器３３の表面に配設された複数の透明な導体２４を備える。複数の制御器１２は、図２に示す表示及び制御盤１０と同じ方法で、表示器３３の表面に固定されている。複数の制御器１２は、表示器３３の表面の各透明な導体２４及び導体２５を介して表示コントローラ３６に接続されており、表示コントローラ３６は、オーディオプロセッサ１７に接続されている。また、表示コントローラ３６は、表示器３３にも接続されている。複数の制御器１２は、ユーザが操作するものであり、ユーザの操作に応じた制御信号をそれぞれ生成して、表示コントローラ３６及びそれを介してオーディオプロセッサ１７に供給する。オーディオプロセッサ１７は、複数の制御信号に応じて、オーディオ信号を調整して、調整されたオーディオ信号を出力する。一方、表示コントローラ３６は、複数の制御信号に応じて複数の表示信号を生成して、表示器３３に供給する。表示器３３は、複数の制御器１２にそれぞれ対応した複数の表示領域３８に加えて、共通情報表示領域３９を有し、各表示領域３８に各表示信号に基づいた画像を表示する。各表示領域３８は、それぞれの制御器１２の近傍に位置する。各表示領域３８には、各制御器１２に関する情報がグラフィック書式及び／又は英数字書式で表示される。一方、共通情報表示領域３９には、例えば複数の制御器１２に関する情報が共通の書式で表示される。
【００３１】
なお、図４では、複数の制御器１２及び複数の表示領域３８は、それぞれ同一のものとして図示しているが、それぞれの制御器１２は、異なる種類の制御器であってもよい。また、それぞれの表示領域３８に、情報を異なる書式で表示するようにしてもよい。さらに、共通情報表示領域３９には、生成された特定の制御信号に基づいた情報を表示するようにしてもよい。例えば、ある制御器１２が、その機能が他の制御器１２に関係した信号を生成するとき、共通情報表示領域３９には、それら他の制御器１２のグループに関する情報が表示されるようにしてもよい。また、図４では、複数の制御器１２は、等間隔で規則的に配設され、複数の表示領域３８の大きさ及び形状は、同じものとして表示しているが、各制御器１２の配置はどのような配置でもよく、また、複数の表示領域３８の大きさ及び形状は、それぞれ異なっていてもよい。
【００３２】
図５は、本発明を適用した表示及び制御盤により、オーディオプロセッサ以外の制御可能な装置、例えばサーボ装置（servo device）、ビデオプロセッサ（video processor）、マイクロプロセッサ（microprocessor）を制御する具体例を示す図である。なお、図１、図３、図４に示す表示及び制御盤１０，２０，３０の構成部品と同じ構成部品には、同じ符号を付して、それらの説明は省略する。
【００３３】
図５に示すように、表示器３３の表面に固定された複数の制御器１２は、表示器３３の表面に形成された透明な導体２４及び導体２５を介して表示コントローラ４６に接続されている。表示コントローラ４６は、制御可能な装置４７と表示器３３に接続されている。複数の制御器１２は、それぞれ制御信号を生成する。表示コントローラ４６と制御可能な装置４７には、複数の制御器１２からの制御信号が供給される。制御可能な装置４７は、例えば各制御信号に応じた状態信号を生成して、表示コントローラ４６に供給する。表示コントローラ４６は、制御信号及び／又は状態信号を表す表示信号を生成して、表示器３３に供給する。表示器３３は、表示信号に基づいた画像を複数の表示領域３８にそれぞれ表示する。上述したように、各制御器１２は、対応する表示領域３８の近傍に取り付けられている。また、表示領域３８には、情報がグラフィック書式及び／又は英数字書式で表示される。
【００３４】
なお、図５では、複数の制御器１２及び複数の表示領域３８は、それぞれ同一のものとして図示しているが、それぞれの制御器１２は、異なる種類の制御器であってもよい。また、それぞれの表示領域３８に、情報を異なる書式で表示するようにしてもよい。さらに、共通情報表示領域３９には、生成された特定の制御信号に基づいた情報を表示するようにしてもよい。例えば、ある制御器１２が、その機能が他の制御器１２に関係した信号を生成するとき、共通情報表示領域３９には、それら他の制御器１２のグループに関する情報が表示されるようにしてもよい。また、図５では、複数の制御器１２は、等間隔で規則的に配設され、複数の表示領域３８の大きさ及び形状は、同じものとして表示しているが、各制御器１２の配置はどのような配置でもよく、また、複数の表示領域３８の大きさ及び形状は、それぞれ異なっていてもよい。
【００３５】
図１〜図４に示す表示及び制御盤１０，２０，３０及び表示コントローラ１６，２６，３６は、上述したように、オーディオミキシングデスクの一部であり、表示器１３，２３，３３の表面に固定された制御器１２は、オーディオミキシングデスクのオーディオチャンネル（audio channel）を制御するものである。なお、本発明を適用した表示及び制御盤は、他の装置にも適用できることは言うまでもない。
【００３６】
【発明の効果】
本発明は、制御器と、その制御器の設定状態を表示する表示器を近接して配置し、ユーザにとって利便性が高い表示及び制御盤を構成することができる。
【図面の簡単な説明】
【図１】  本発明を適用した表示及び制御盤の構成を説明するための図である。
【図２】  制御器を表示器の表面に取り付けた状態を示す側面図である。
【図３】  本発明を適用した表示及び制御盤の他の具体例を示す図である。
【図４】  本発明を適用した表示及び制御盤のさらなる別の具体例を示す図である。
【図５】  本発明を適用した表示及び制御盤によりオーディオプロセッサ以外の制御可能な装置を制御する具体例を示す図である。
【図６】  従来の表示及び制御盤を示す概略図である。
【図７】  従来の表示及び制御盤を示す概略図である。
【符号の説明】
１０  表示及び制御盤、１２  制御器、１３  表示器、１４  透明な導体、１５導体、１６  表示コントローラ、１７  オーディオプロセッサ、１８  表示領域
【図１】
0004430215.tif 000002
【図２】
0004430215.tif 000003
【図３】
0004430215.tif 000004
【図４】
0004430215.tif 000005
【図５】
0004430215.tif 000006
【図６】
0004430215.tif 000007
【図７】
0004430215.tif 000008